(57)【要約】【課題】Ｈブリッジ回路において光源モジュールの着脱を精度良く検知することができる点灯装置および照明器具を提供する。【解決手段】点灯装置１０は、交流電源４と接続し、交流電圧を整流する整流回路６と、整流回路６と接続するＨブリッジ回路１４と、Ｈブリッジ回路１４の出力側に設けられたコンデンサＣ１と、出力端子１０ａ、１０ｂの間の電圧を検知する電圧検知回路１６と、コンデンサＣ１の両端を導通可能な放電回路１８と、コンデンサＣ１の一端から正極出力端子１０ａに向けて電流を流すダイオードＤ３と、出力端子１０ａ、１０ｂ間に電圧を印加する検知用電源回路１９と、を備える。正極出力端子１０ａがコンデンサＣ１の一端と接続し、負極出力端子１０ｂがコンデンサＣ１の他端に接続し、電圧検知回路１６で検知した電圧が閾値以上となったら放電回路１８でコンデンサＣ１を放電し検知用電源回路１９で出力端子１０ａ、１０ｂ間に電圧を印加する。【選択図】図１
2015176666.tif 000002
【特許請求の範囲】
【請求項１】
第１出力端子および第２出力端子と、
交流電源と接続し、交流電圧を整流する整流回路と、
前記整流回路と接続するＨブリッジ回路と、
前記Ｈブリッジ回路の出力側に設けられ、一端が前記第１出力端子と電気的に接続し他端が前記第２出力端子と電気的に接続したコンデンサと、
前記第１、２出力端子の間の電圧を検知する電圧検知回路と、
前記コンデンサの前記一端から前記第１出力端子に向けて一方向に電流を流す向きに設けられた整流素子と、
前記コンデンサを放電させるように前記コンデンサの前記一端と前記他端とを導通可能な放電回路と、
前記第１、２出力端子間に電圧を印加する電源回路と、
を備え、
前記電圧検知回路で検知した電圧が閾値以上となったら前記放電回路で前記コンデンサを放電し前記電源回路で前記第１、２出力端子間に電圧を印加する点灯装置。
【請求項２】
前記第２出力端子に一端が接続し他端が接地された電流検知抵抗と、
前記電流検知抵抗と直列に接続し、前記第２出力端子を前記電流検知抵抗を介して接地電位に接続するか否かを切り替え可能なスイッチと、
を備える請求項１に記載の点灯装置。
【請求項３】
前記電圧検知回路で検知した電圧が閾値以上となったら、前記放電回路で前記コンデンサを放電させ、かつ前記スイッチをオフとする請求項２に記載の点灯装置。
【請求項４】
前記電圧検知回路で検知した電圧が閾値以上となった後、マスク期間が経過するまでは、前記放電回路で前記コンデンサの前記一端と前記他端とを導通させかつ前記スイッチのオフを維持する請求項２または３に記載の点灯装置。
【請求項５】
前記放電回路を制御するとともに前記マスク期間に従って前記スイッチの制御信号を出力する制御回路をさらに備え、
前記制御回路は前記マスク期間を変更可能である請求項４に記載の点灯装置。
【請求項６】
前記第２出力端子の電圧に基づいて前記第１、２出力端子への負荷の着脱に応じて切り替わる着脱信号を生成する信号生成回路と、
前記着脱信号が前記第１、２出力端子に前記負荷が接続されていることを示したら前記放電回路の前記導通を解除しかつ前記スイッチをオンとする請求項２〜５のいずれか１項に記載の点灯装置。
【請求項７】
前記電源回路は、カソードが直流電圧源に接続しアノードが前記第１出力端子に接続したツェナーダイオードを含む請求項１〜６のいずれか１項に記載の点灯装置。
【請求項８】
前記電源回路は、
一端に前記整流回路の出力電圧を受け他端が前記第１出力端子に接続する抵抗と、
カソードが前記整流回路と前記第１出力端子とを接続する回路に接続しアノードが接地されるツェナーダイオードと、
を含む請求項１〜７のいずれか１項に記載の点灯装置。
【請求項９】
前記第１、２出力端子には、少なくとも１つの発光素子を含む光源が接続され、
前記電源回路が印加する電圧は、前記発光素子の順方向電圧よりも小さい請求項１〜８のいずれか１項に記載の点灯装置。
【請求項１０】
発光素子および前記発光素子に並列接続した抵抗を備えた光源と、
前記光源と接続する第１、２出力端子を備え前記発光素子を点灯させる点灯装置と、
を備え、
前記点灯装置は、
交流電源と接続し、交流電圧を整流する整流回路と、
前記整流回路と接続するＨブリッジ回路と、
前記Ｈブリッジ回路の出力側に設けられ、一端が前記第１出力端子と電気的に接続し他端が前記第２出力端子と電気的に接続したコンデンサと、
前記第１、２出力端子の間の電圧を検知する電圧検知回路と、
前記コンデンサの一端から前記第１出力端子に向けて一方向に電流を流す向きに設けられた整流素子と、
前記コンデンサを放電させるように前記コンデンサの両端を導通可能な放電回路と、
前記第１、２出力端子間に電圧を印加する電源回路と、
を備え、
前記電圧検知回路で検知した電圧が閾値以上となったら前記放電回路で前記コンデンサを放電し前記電源回路で前記第１、２出力端子間に電圧を印加する照明器具。
【発明の詳細な説明】
【技術分野】
【０００１】
本発明は、点灯装置および照明器具に関する。
【背景技術】
【０００２】
従来、例えば、特開２０１２−２８２２２号公報に開示されているように、ＬＥＤ素子からなる光源モジュールの着脱を検出することができる照明器具が知られている。
【先行技術文献】
【特許文献】
【０００３】
【特許文献１】特開２０１２−２８２２２号公報
【発明の概要】
【発明が解決しようとする課題】
【０００４】
照明器具に含まれる点灯装置には各種のコンバータ回路が搭載されており、上記従来の照明器具では降圧型ＤＣＤＣコンバータが搭載されている。ところで、本願発明者はＨブリッジ回路を点灯装置の電源回路として用いる技術開発を行っている。Ｈブリッジ回路の出力側に取り付けるコンデンサはある程度大きな容量が要求される。そのような容量の大きなコンデンサを設けることで、光源モジュールの再接続を検出する際に、コンデンサの電荷が検出精度を低下させるという問題があった。
【０００５】
本発明は、上述のような課題を解決するためになされたもので、Ｈブリッジ回路において光源モジュールの着脱を精度良く検知することができる点灯装置および照明器具を提供することを目的とする。
【課題を解決するための手段】
【０００６】
本発明にかかる点灯装置は、第１出力端子および第２出力端子と、交流電源と接続し、交流電圧を整流する整流回路と、前記整流回路と接続するＨブリッジ回路と、前記Ｈブリッジ回路の出力側に設けられ、一端が前記第１出力端子と電気的に接続し他端が前記第２出力端子と電気的に接続したコンデンサと、前記第１、２出力端子の間の電圧を検知する電圧検知回路と、前記コンデンサの前記一端から前記第１出力端子に向けて一方向に電流を流す向きに設けられた整流素子と、前記コンデンサを放電させるように前記コンデンサの前記一端と前記他端とを導通可能な放電回路と、前記第１、２出力端子間に電圧を印加する電源回路と、を備え、前記電圧検知回路で検知した電圧が閾値以上となったら前記放電回路で前記コンデンサを放電し前記電源回路で前記第１、２出力端子間に電圧を印加する。
【０００７】
本発明にかかる照明器具は、発光素子および前記発光素子に並列接続した抵抗を備えた光源と、前記光源と接続する第１、２出力端子を備え前記発光素子を点灯させる点灯装置と、を備え、前記点灯装置は、交流電源と接続し、交流電圧を整流する整流回路と、前記整流回路と接続するＨブリッジ回路と、前記Ｈブリッジ回路の出力側に設けられ、一端が前記第１出力端子と電気的に接続し他端が前記第２出力端子と電気的に接続したコンデンサと、前記第１、２出力端子の間の電圧を検知する電圧検知回路と、前記コンデンサの一端から前記第１出力端子に向けて一方向に電流を流す向きに設けられた整流素子と、前記コンデンサを放電させるように前記コンデンサの両端を導通可能な放電回路と、前記第１、２出力端子間に電圧を印加する電源回路と、を備え、前記電圧検知回路で検知した電圧が閾値以上となったら前記放電回路で前記コンデンサを放電し前記電源回路で前記第１、２出力端子間に電圧を印加する。
【発明の効果】
【０００８】
本発明によれば、光源モジュールの取り外しに応じてコンデンサを放電するとともに電源回路の電圧を用いた光源モジュール着脱検知を行うことができるので、Ｈブリッジ回路においても光源モジュールの着脱を精度良く検知することができる。
【図面の簡単な説明】
【０００９】
【図１】本発明の実施の形態にかかる点灯装置および照明器具の回路図である。
【図２】実施の形態の変形例にかかる点灯装置およびこれを備えた照明器具の回路図である。
【図３】実施の形態の変形例にかかる点灯装置およびこれを備えた照明器具の回路図である。
【図４】実施の形態の変形例にかかる点灯装置およびこれを備えた照明器具の回路図である。
【発明を実施するための形態】
【００１０】
図１は、本発明の実施の形態にかかる点灯装置および照明器具１の回路図である。照明器具１は、光源モジュール２および点灯装置１０を備えている。光源モジュール２は、少なくとも１つのＬＥＤ素子２ａおよびＬＥＤ素子２ａに並列接続した抵抗ＲＬを備える。点灯装置１０は、光源モジュール２と接続する出力端子１０ａ、１０ｂを備え、交流電源４の交流電圧を直流電圧に変換し、典型的には定電流制御によりＬＥＤ素子２ａを点灯させる。光源モジュール２は複数のＬＥＤ素子２ａが直列、並列、あるいは直列と並列を組み合わせた形態に接続されたものであってもよく、ＬＥＤ素子２ａに代えて有機ＥＬ素子を用いてもよい。光源モジュール２のようにＬＥＤ素子２ａに抵抗ＲＬを並列に接続する形態は、典型的には直管型ＬＥＤ照明で採用されるものであり、直管型照明では光源モジュールの着脱検知（いわゆるランプ検知）を行うことが必須となっている。
【００１１】
点灯装置１０は、正極出力端子１０ａおよび負極出力端子１０ｂを備えている（以下、便宜上これらをまとめて「出力端子１０ａ、１０ｂ」と称することがある）。点灯装置１０は、交流電源４と接続し交流電圧を整流する典型的にはダイオードブリッジである整流回路６と、整流回路６と接続し全波整流された直流電流を受けるＨブリッジ回路１４とを備えている。交流電源４と整流回路６との間には、電源スイッチ（図示せず）が介在している。
【００１２】
Ｈブリッジ回路１４は、スイッチング素子Ｑ１と、ダイオードＤ１と、インダクタＬ１と、ダイオードＤ２と、スイッチング素子Ｑ２と、抵抗Ｒ１を備えている。スイッチング素子Ｑ１、Ｑ２はＭＯＳＦＥＴを用いているが、本発明はこれに限られずＩＧＢＴやバイポーラトランジスタ等の他のスイッチング素子でもよい。スイッチング素子Ｑ１の第１端子（本実施の形態ではドレイン）は、整流回路６の高圧側出力端子に接続している。スイッチング素子Ｑ１の第２端子（本実施の形態ではソース）は、ダイオードＤ１のカソードと接続している。ダイオードＤ１のアノードは、整流回路６の低圧側出力端子に接続している。インダクタＬ１の一端は、スイッチング素子Ｑ１の第２端子（本実施の形態ではソース）とダイオードＤ１のカソードとの接続点に接続している。インダクタＬ１の他端は、ダイオードＤ２のアノードとスイッチング素子Ｑ２の第１端子（本実施の形態ではドレイン）との接続点に接続している。スイッチング素子Ｑ２の第２端子（本実施の形態ではソース）は抵抗Ｒ１を介して接地されている。ダイオードＤ２のカソードは、コンデンサＣ１の一端に接続している。ダイオードＤ１のアノードには抵抗Ｒ１の一端が接続し、抵抗Ｒ１の他端はスイッチング素子Ｑ２のソースに接続している。スイッチング素子Ｑ１、Ｑ２の制御端子（本実施の形態ではゲート）にはドライバ回路２０からの駆動信号が供給されることでスイッチングが実現される。ドライバ回路２０はマイコン２２からの制御信号を受けて駆動信号を生成する。Ｈブリッジ回路１４は、降圧モード、昇圧モード、および昇降圧モードという３つのモードで駆動することができる。降圧モードは、スイッチング素子Ｑ１をオンオフし、かつスイッチング素子Ｑ２をオフに維持することで実現される。昇圧モードは、スイッチング素子Ｑ１をオンに維持し、かつスイッチング素子Ｑ２をオンオフすることで実現される。昇降圧モードは、スイッチング素子Ｑ１およびスイッチング素子Ｑ２の両方をオンオフさせることで実現される。
【００１３】
Ｈブリッジ回路１４の出力側には、電解コンデンサであるコンデンサＣ１が設けられている。コンデンサＣ１の他端は抵抗Ｒ１を介して接地されている。一般にＨブリッジ回路の出力側に設けた電解コンデンサはその容量をある程度大きくする必要がある。正極出力端子１０ａがコンデンサＣ１の一端と接続し、負極出力端子１０ｂがコンデンサＣ１の他端に接続している。コンデンサＣ１に対して並列に、光源モジュール２および光源モジュール２の電流を検知する電流検知抵抗Ｒ２の直列回路が設けられている。
【００１４】
点灯装置１０は、出力端子１０ａ、１０ｂの間の電圧を検知する電圧検知回路１６を備えている。電圧検知回路１６は、抵抗Ｒ１１、Ｒ１２からなる分圧回路である。抵抗Ｒ１１の一端が正極出力端子１０ａと接続し、抵抗Ｒ１１の他端が抵抗Ｒ１２の一端に接続して、この抵抗Ｒ１１と抵抗Ｒ１２との接続点の電圧が検知電圧としてマイコン２２に入力され、抵抗Ｒ１２の他端は接地されている。
【００１５】
点灯装置１０は光源モジュール２の着脱を検知する機能を備えている。先ず、光源モジュール２が点灯中に「脱」つまり取り外された場合、コンデンサＣ１の両端が高電圧となる。マイコン２２は、電圧検知回路１６の検知電圧が予め定めた「脱閾値電圧Ｖａ」以上となったら、光源モジュール２が取り外されたと判定する。なお、点灯装置１０において、マイコン２２がこの高電圧に応じて保護動作を行うようにしていることが好ましい。その場合には、電圧検知回路１６の検知電圧を予め定めた保護閾値電圧Ｖｓ（これは脱閾値電圧Ｖａと同じ値でもよい）と比較することで過電圧保護動作を行うようにすればよい。
【００１６】
次に、光源モジュール２が「着」つまり接続されているときには、ＬＥＤ素子２ａに並列に接続された抵抗ＲＬの両端が正極出力端子１０ａおよび負極出力端子１０ｂに接続する。これにより抵抗Ｒ１１、Ｒ１２に対して抵抗ＲＬが並列に取り付けられることになり、抵抗Ｒ１１、Ｒ１２で分圧された電圧つまり電圧検知回路１６の検知電圧が低下する。マイコン２２は、電圧検知回路１６の検知電圧が予め定めた「着閾値電圧Ｖｂ」以下であるか否かを判定することで、出力端子１０ａ、１０ｂに負荷つまり光源モジュール２が接続されたか否かを検知する。
【００１７】
点灯装置１０は、放電回路１８と、ダイオードＤ３と、検知用電源回路１９とを備えている。放電回路１８は、コンデンサＣ１を放電させるようにコンデンサＣ１の両端と導通可能である。放電回路１８は、ＭＯＳＦＥＴであるスイッチング素子Ｑ６０および抵抗Ｒ６３の直列回路を含んでおり、この直列回路がコンデンサＣ１と並列に接続している。抵抗Ｒ６３は、一端がスイッチング素子Ｑ６０のドレインと接続し他端がコンデンサＣ１の一端と接続する。スイッチング素子Ｑ６０のオンオフはマイコン２２により自動的に行われる。スイッチング素子Ｑ６０は、光源モジュール２の点灯中は、ゲートがローすなわちオフとされる。その一方で、スイッチング素子Ｑ６０は、下記の（ａ）〜（ｃ）に該当する場合には、ゲートがハイすなわちオンされることでコンデンサＣ１の一端と他端とを導通させる。
（ａ）光源モジュール２が取り外されているとき
（ｂ）点灯中に光源モジュール２が取り外されて保護動作を行うとき
（ｃ）点灯装置１０がオフのとき（つまり交流電源４と整流回路６との間の図示しない電源スイッチがオフのとき）
【００１８】
ダイオードＤ３は、アノードがコンデンサＣ１の一端（高電位側端子）と接続しカソードが正極出力端子１０ａに接続しており、コンデンサＣ１の一端から正極出力端子１０ａに向けて一方向に電流を流す向きで設けられている。検知用電源回路１９は、出力端子１０ａ、１０ｂ間に電圧を印加する。検知用電源回路１９は、好ましくは２０Ｖ程度の直流電圧Ｖｄを供給する直流電源ＤＣと、この直流電源ＤＣに一端が接続する抵抗Ｒ６１と、抵抗Ｒ６１の他端にカソードが接続するツェナーダイオードＤｚ１と、アノードがツェナーダイオードＤｚ１のアノードと接続するダイオードＤ４とを備えている。この直流電源としてはマイコン２２などに電源供給する制御電源を用いることができ、その場合にはＶｄ＝制御電源電圧Ｖｃｃである。ダイオードＤ４のカソードは、ダイオードＤ３のカソードと正極出力端子１０ａの接続点に接続している。検知用電源回路１９が正極出力端子１０ａに印加する電圧Ｖｘ１は、下記の式で表される。ただし、ツェナーダイオードＤｚ１のツェナー電圧をＶｚ１とする。
Ｖｘ１＝  Ｖｄ−Ｖｚ１  ・・・（１）
【００１９】
光源モジュール２の順方向電圧の最小値をＶｆｍｉｎとすると、電圧Ｖｘ１はＶｆｍｉｎよりも小さいことが好ましい。Ｖｆｍｉｎは、光源モジュール２におけるＬＥＤ素子２ａの接続個数および直列、並列といった接続形態に応じて異なり、その最小値は１つのＬＥＤ素子２ａの順方向電圧Ｖｆである。これにより、検知用電源回路１９が印加した電圧によって光源モジュール２が点灯するのを確実に避けることができる。なお、検知用電源回路１９と正極出力端子１０ａは常に接続していてもよいし、他のスイッチング素子を設けるなどして必要なときつまりコンデンサＣ１の放電後における光源モジュール着脱判定期間のみに検知用電源回路１９と正極出力端子１０ａを接続しても良い。
【００２０】
マイコン２２は、電圧検知回路１６の検知電圧が脱閾値電圧Ｖａ以上となったらこれに応じて（より好ましくはこれと同時に）スイッチング素子Ｑ６０をオンとすることにより、コンデンサＣ１を放電することができる。このとき、ダイオードＤ３により検知用電源回路１９でコンデンサＣ１が充電されるのを防止するとともに、検知用電源回路１９が出力端子１０ａ、１０ｂ間に一定の電圧を印加することができる。これにより、コンデンサＣ１の電荷の影響を排除して、光源モジュール２が再度取り付けられたか否かを精度良く検知できる。また、点灯中に光源モジュール２が取り外されて過電圧が生じたときこれに応じてコンデンサＣ１の放電を速やかに行うことで、光源モジュール２を短時間で再接続したときに光源モジュール２に突入電流が流れることを抑制できる。マイコン２２は、電圧検知回路１６で検知した電圧が着閾値電圧Ｖｂ以下となったらスイッチング素子Ｑ６０をオフとすることで、コンデンサＣ１の両端子の導通を解除する。その後、Ｈブリッジ回路１４を駆動開始することで光源モジュール２を点灯させることができる。
【００２１】
図２は、本発明の実施の形態の変形例にかかる点灯装置１１０およびこれを備えた照明器具１の回路図である。この変形例は、図１における検知用電源回路１９を、図２に示した検知用電源回路１１９に置換したものである。検知用電源回路１１９は、一端に整流回路６の出力電圧を受け他端が正極出力端子１０ａに接続する抵抗Ｒ６４、Ｒ６５の直列回路と、この抵抗Ｒ６４，Ｒ６５の接続点にカソード接続しアノードが接地されるツェナーダイオードＤｚ２とを含む。検知用電源回路１１９の供給する電圧Ｖｘ２は、上述したＶｘ１と同様に調整すればよい。
【００２２】
図３は、本発明の実施の形態の変形例にかかる点灯装置２１０およびこれを備えた照明器具１の回路図である。点灯装置２１０は、点灯装置１０にスイッチング素子Ｑ６１および信号生成回路３０を設け、マイコン２２を制御回路１２２に置換したものである。スイッチング素子Ｑ６１は、ＭＯＳＦＥＴであり、電流検知抵抗Ｒ２と直列に接続し、負極出力端子１０ｂを電流検知抵抗Ｒ２に接続するか否かを切り替え可能である。スイッチング素子Ｑ６１は、光源モジュール２の点灯中にはゲートがハイすなわちオンとされる。また、スイッチング素子Ｑ６１は、前述したスイッチング素子Ｑ６０をオンとすべき（ａ）〜（ｃ）の場合には、ゲートがローすなわちオフされる。オフとされることで負極出力端子１０ｂと電流検知抵抗Ｒ２との間の電気的接続を遮断することができる。
【００２３】
コンデンサＣ１の放電は、放電回路１８に含まれる抵抗Ｒ６３を経由して行われる。この抵抗Ｒ６３の抵抗値が低ければコンデンサＣ１の放電を速やかに行うことができ好ましいが、その一方で低抵抗化を図ると抵抗Ｒ６３のサイズが大きくなり点灯装置１０の回路基板上におけるスペースの制約から限度がある。そこで、点灯装置２１０では、スイッチング素子Ｑ６１の遮断によりコンデンサＣ１の他端と光源モジュール２の端子とを開放状態にする。この開放状態を形成することで、抵抗Ｒ６３の抵抗値が高く放電に時間がかかりコンデンサＣ１に電荷が残っているときであっても、光源モジュール２に突入電流が流れるのを防止できる。
【００２４】
点灯装置２１０において、信号生成回路３０は、光源モジュール２が再接続されたことを検知する役割を担っている。信号生成回路３０は、負極出力端子１０ｂの電圧に基づいて、出力端子１０ａ、１０ｂへの負荷（つまり光源モジュール２）の着脱に応じて切り替わる着脱信号Ｓを生成する。着脱信号Ｓは、着信号（例えばロー）と脱信号（例えばハイ）とが切り替わるものである。この着脱信号Ｓを生成するために、信号生成回路３０は、抵抗Ｒ６６、Ｒ６８およびスイッチング素子Ｑ６４を備えている。抵抗Ｒ６６の一端はスイッチング素子Ｑ６１のドレインと負極出力端子１０ｂの接続点に接続し、抵抗Ｒ６６の他端が抵抗Ｒ６８の一端に接続し、抵抗Ｒ６８の他端は接地されている。互いに直列接続したこれらの抵抗Ｒ６６、Ｒ６８の接続点がバイポーラトランジスタであるスイッチング素子Ｑ６４の制御端子（実施の形態ではベース）に接続されている。スイッチング素子Ｑ６４のエミッタは接地され、コレクタは抵抗Ｒ７０を介して５Ｖの直流電源に接続している。光源モジュール２が取り外されているときは、スイッチング素子Ｑ６４はオフとされており、制御回路１２２への着脱信号Ｓは「脱」とされている。光源モジュール２が出力端子１０ａ、１０ｂに接続されると、検知用電源回路１９からの給電、光源モジュール２内の抵抗ＲＬ、および抵抗Ｒ６６，Ｒ６８で決まるベース端子への印加電圧が変化する。スイッチング素子Ｑ６４がオンとなると、これに応じたコレクタ電流が流れ制御回路１２２への着脱信号Ｓが「着」に切り替わる。点灯装置２１０においては、制御回路１２２は、着脱信号Ｓが「着」を示したらスイッチング素子Ｑ６０をオフとすることでコンデンサＣ１の両端子の導通を解除し、かつスイッチング素子Ｑ６１をオンとする。その後、Ｈブリッジ回路１４を駆動開始することで光源モジュール２を点灯させることができる。
【００２５】
点灯装置２１０のより好ましい形態として、電圧検知回路１６で検知した電圧が閾値以上となった後、予め定めた「マスク期間」が経過するまでは、制御回路１２２がスイッチング素子Ｑ６０をオンに維持しかつスイッチング素子Ｑ６１のオフを維持してもよい。マスク期間を設けることで、コンデンサＣ１の放電が不十分な状態で光源モジュール２の着脱検知が行われてしまうことを抑制できる。光源モジュール２の再接続を正確に検知するために、マスク期間は、コンデンサＣ１の電圧が検知用電源回路１９の供給する電圧Ｖｘ１以下となる長さであることが好ましい。具体的にはコンデンサＣ１の電圧をＶｃとしたとき、コンデンサＣ１の放電開始の後にＶｃ＝Ｖｘ１となるまでの時間に設定されることが好ましく、或いはそれよりも長い時間に設定してコンデンサＣ１の放電をより十分に行うことが更に好ましい。制御回路１２２は例えばプログラマブルであるなどしてマスク期間の長さを変更可能であることがさらに好ましい。
【００２６】
図４は、本発明の実施の形態の変形例にかかる点灯装置３１０およびこれを備えた照明器具１の回路図である。点灯装置３１０は、図３の点灯装置２１０において、検知用電源回路１９を検知用電源回路１１９に置換したものである。
【符号の説明】
【００２７】
１  照明器具、２  光源モジュール、２ａ  ＬＥＤ素子、４  交流電源、６  整流回路、１０、１１０、２１０、３１０  点灯装置、１０ａ  正極出力端子、１０ｂ  負極出力端子、１４  Ｈブリッジ回路、１６  電圧検知回路、１８  放電回路、１９、１１９  検知用電源回路、２０  ドライバ回路、２２  マイコン、３０  信号生成回路
【図１】
2015176666.tif 000003
【図２】
2015176666.tif 000004
【図３】
2015176666.tif 000005
【図４】
2015176666.tif 000006